(57)【要約】【課題】低価格化、小型化、送受信特性の高効率化を実現可能なアンテナを備えた入力装置及びこの入力装置を搭載した表示装置を提供することを目的とする。【解決手段】基板上の所定領域内における接触を検知して入力信号を生成するタッチパネル１００と、タッチパネル１００によって生成された入力信号及び外部機器３００から入力された入力信号に対応した電波を送信するとともに外部からの外部信号に対応した電波を受信する無線通信部２００と、を備え、無線通信部２００は、所定領域の外縁部に配置されたアンテナ部２０１を有している。【選択図】      図１
2006197645.tif 000002
【特許請求の範囲】
【請求項１】
基板の一主面上の所定領域内における位置を検知して入力信号を生成する入力部が前記基板上に形成されて成る入力手段と、
所定の電波を送信又は受信する通信手段と、
を備えた入力装置において、
前記入力手段は、
前記所定領域に配置された第１導電体層及び前記第１導電体層の周囲に配置された第１検出電極を備えた第１基板と、
前記所定領域に配置された第２導電体層を備えた第２基板と、を備え、
前記通信手段は、前記第２基板の一主面上における前記所定領域の外縁部に配置されたアンテナ素子を有し、
前記アンテナ素子は、前記第２導電体層と電気的に接続されたことを特徴とする入力装置。
【請求項２】
前記第２導電体層の抵抗値は、前記第１導電体層より低いことを特徴とする請求項１に記載の入力装置。
【請求項３】
前記アンテナ素子は、前記第２導電体層を囲んで配置されたループアンテナであることを特徴とする請求項１に記載の入力装置。
【請求項４】
前記アンテナ素子は、前記第２導電体層の周囲に配置された第２検出電極であることを特徴とする請求項１に記載の入力装置。
【請求項５】
基板の一主面上の所定領域内における位置を検知して入力信号を生成する入力部が前記基板上に形成されて成る入力手段と、
所定の電波を送信又は受信する通信手段と、
前記所定領域に対応した有効表示領域に、前記入力手段によって生成された入力信号または前記通信手段を介して送受信する所定電波に基づいた所定情報を表示する表示手段と、を備えた表示装置において、
前記入力手段は、
前記所定領域に配置された第１導電体層及び前記第１導電体層の周囲に配置された第１検出電極を備えた第１基板と、
前記所定領域に配置された第２導電体層を備えた第２基板と、を備え、
前記通信手段は、前記第２基板の一主面上における前記所定領域の外縁部に配置されたアンテナ素子を有し、
前記アンテナ素子は、前記第２導電体層と電気的に接続されたことを特徴とする表示装置。
【発明の詳細な説明】
【技術分野】
【０００１】
この発明は、入力装置及びこれを搭載した表示装置に関し、特に、無線通信機能を有したタッチパネル及びこのタッチパネルを搭載した表示装置に関する。
【背景技術】
【０００２】
現在、パーソナルコンピュータ、携帯情報端末などの多くの機器に無線通信機能が付加されている。この無線通信機能を実現するためには、アンテナが不可欠である。このアンテナには、低価格化、小型化、送受信特性の高効率化などが要求される。
【０００３】
アンテナには、内蔵型のものと、外付け型のものとがある。例えば、無線通信機能を有したノート型パーソナルコンピュータにおいて、筐体の側面にアンテナを配置する構成例がある。しかしながら、このアンテナは、筐体から突出することになり、筐体全体の小型化を妨げる。また、パーソナルコンピュータの筐体にアンテナを内蔵した場合、筐体内部の回路に対して電磁界シールドを行う必要がある。このため、筐体が厚くなることが避けられない。
【０００４】
このような問題に対処するために、特開２０００−１３８５１２号公報によれば、アンテナ素子を兼ねるブラックマトリクス、放射素子、金属反射板によって構成された平面アンテナを備える液晶表示装置が開示されている。
【特許文献１】特開２０００−１３８５１２号公報
【発明の開示】
【発明が解決しようとする課題】
【０００５】
上述したように、無線通信機器に不可欠なアンテナには、低価格化、小型化、送受信特性の高効率化が要求される。
【０００６】
これに対処するための特開２０００−１３８５１２号公報による液晶表示装置では、アンテナを構成する各素子が液晶表示装置内部に配置されているため、駆動回路のノイズに対する影響がある。したがって、液晶表示装置の動作上、好ましくない。
【０００７】
そこで、この発明は、上記問題点を解決するためになされたものであり、その目的は、低価格化、小型化、送受信特性の高効率化を実現可能なアンテナを備えた入力装置及びこの入力装置を搭載した表示装置を提供することにある。
【課題を解決するための手段】
【０００８】
この発明の第１の態様による入力装置は、
基板の一主面上の所定領域内における位置を検知して入力信号を生成する入力部が前記基板上に形成されて成る入力手段と、
所定の電波を送信又は受信する通信手段と、
を備えた入力装置において、
前記入力手段は、
前記所定領域に配置された第１導電体層及び前記第１導電体層の周囲に配置された第１検出電極を備えた第１基板と、
前記所定領域に配置された第２導電体層を備えた第２基板と、を備え、
前記通信手段は、前記第２基板の一主面上における前記所定領域の外縁部に配置されたアンテナ素子を有し、
前記アンテナ素子は、前記第２導電体層と電気的に接続されたことを特徴とする。
【０００９】
この発明の第２の態様による表示装置は、
基板の一主面上の所定領域内における位置を検知して入力信号を生成する入力部が前記基板上に形成されて成る入力手段と、
所定の電波を送信又は受信する通信手段と、
前記所定領域に対応した有効表示領域に、前記入力手段によって生成された入力信号または前記通信手段を介して送受信する所定電波に基づいた所定情報を表示する表示手段と、を備えた表示装置において、
前記入力手段は、
前記所定領域に配置された第１導電体層及び前記第１導電体層の周囲に配置された第１検出電極を備えた第１基板と、
前記所定領域に配置された第２導電体層を備えた第２基板と、を備え、
前記通信手段は、前記第２基板の一主面上における前記所定領域の外縁部に配置されたアンテナ素子を有し、
前記アンテナ素子は、前記第２導電体層と電気的に接続されたことを特徴とする。
【００１０】
なお、この発明のその他の態様を以下に示す。
【００１１】
ａ）  基板の一主面上の所定領域内における位置を検知して入力信号を生成する入力部が前記基板上に形成されて成る入力手段と、
所定の電波を送信又は受信する通信手段と、
を備えた入力装置において、
前記通信手段は、前記基板の一主面上における前記所定領域の外縁部に配置された送受信素子を有することを特徴とする入力装置。
【００１２】
ｂ）  前記送受信素子は、単体又は複数のアンテナ素子であることを特徴とするａに記載の入力装置。
【００１３】
ｃ）  前記アンテナ素子は、フェイズド・アレイ・アンテナを構成することを特徴とするｂに記載の入力装置。
【００１４】
ｄ）  前記アンテナ素子は、ダイポールアンテナであることを特徴とするｂに記載の入力装置。
【００１５】
ｅ）  前記通信手段は、前記アンテナ素子のそれぞれに供給される同一周波数のアンテナ信号の位相を調整する位相調整手段を備えたことを特徴とするｂに記載の入力装置。
【００１６】
ｆ）  前記通信手段は、前記アンテナ素子のそれぞれに供給される同一周波数のアンテナ信号の振幅を調整する振幅調整手段を備えたことを特徴とするｂに記載の入力装置。
【００１７】
ｇ）  前記送受信素子は、前記外縁部のうち前記所定領域を隔てた第１の外縁部と第２の外縁部とに配置される第１及び第２アンテナ素子を含むことを特徴とするｂに記載の入力装置。
【００１８】
ｈ）  前記送受信素子は、前記外縁部の１辺上に配置される第１及び第２アンテナ素子を含むことを特徴とするｂに記載の入力装置。
【００１９】
ｉ）  第１及び第２アンテナ素子は、互いに平行に延出して配置されたことを特徴とするｈに記載の入力装置。
【００２０】
ｊ）  第１及び第２アンテナ素子は、一直線状に延出して配置されたことを特徴とするｈに記載の入力装置。
【００２１】
ｋ）  前記アンテナ素子は、前記外縁部のうち隣接する第１の外縁部と第２の外縁部とに配置される第１及び第２アンテナ素子を含むことを特徴とするｂに記載の入力装置。
【００２２】
ｌ）  前記アンテナ素子は、前記基板の同一の前記一主面上に配置された第１及び第２のアンテナ素子を含むことを特徴とするｂに記載の入力装置。
【００２３】
ｍ）  前記入力手段は、
前記所定領域に配置された第１導電体層、及び、前記第１導電体層の対向する２辺に配置された一組の第１検出電極を備えた第１基板と、
前記所定領域に配置された第２導電体層、及び、前記第２導電体層の対向する２辺であって前記第１検出電極に対して直交する２辺に配置された一組の第２検出電極を備えた第２基板と、
前記第１基板と前記第２基板とを所定の間隔で保持する保持手段と、
を備えたことを特徴とするｂに記載の入力装置。
【００２４】
ｎ）  前記アンテナ素子は、前記第１基板上に配置される第１のアンテナ素子と、前記第２基板上に配置される第２のアンテナ素子とを含むことを特徴とするｍに記載の入力装置。
【００２５】
ｏ）  前記アンテナ素子は、少なくとも２本の送受信部と、この送受信部の背面に電波を反射する反射板とを備えたことを特徴とするｂに記載の入力装置。
【００２６】
ｐ）  前記アンテナ素子は、少なくとも１つの送受信部と、前記送受信部に対向して配置された無給電素子とを備えたことを特徴とするｂに記載の入力装置。
【００２７】
ｑ）  前記アンテナ素子は、円偏波アンテナであることを特徴とするｋに記載の入力装置。
【００２８】
ｒ）  前記送受信素子は、複数のアンテナ素子を含み、複数の前記アンテナ素子を介して電波を送信又は受信する第１動作モードと、単個の前記アンテナ素子を介して電波を送信又は受信する第２動作モードと、を切り換える切換手段を備えたことを特徴とするａに記載の入力装置。
【００２９】
ｓ）  前記アンテナ素子の少なくとも一部が前記第１検出電極及び前記第２検出電極の少なくとも１つによって構成されたことを特徴とするｍに記載の入力装置。
【００３０】
ｔ）  基板の一主面上の所定領域内における位置を検知して入力信号を生成する入力部が前記基板上に形成されて成る入力手段と、
所定の電波を送信又は受信する通信手段と、
前記所定領域に対応した有効表示領域に、前記入力手段によって生成された入力信号及び前記通信手段を介して送受信する所定電波に基づいた所定情報を表示する表示手段と、を備えた表示装置において、
前記通信手段は、前記基板の一主面上における前記所定領域の外縁部に配置された送受信素子を有することを特徴とする表示装置。
【００３１】
ｕ）  前記表示手段は、液晶表示装置であることを特徴とするｔに記載の表示装置。
【００３２】
ｖ）  前記表示手段は、有機ＥＬ表示装置であることを特徴とするｔに記載の表示装置。
【００３３】
ｗ）  前記送受信素子は、前記外縁部の角部に配置されるアンテナ素子を含み、前記アンテナ素子は、第１の外縁部に配置された第１導体線と、前記第１の外縁部に隣接する第２外縁部に配置された第２導体線と、を備えたことを特徴とするｂに記載の入力装置。
【００３４】
ｘ）  前記入力手段は、
前記所定領域に配置された第１導電体層、前記第１導電体層の周囲の４辺に配置された４個の第１検出電極を備えた第１基板と、
前記所定領域に配置された第２導電体層、及び、前記第２導電体層に接続した少なくとも一組の第２検出電極を備えた第２基板と、を備え、
前記アンテナ素子は、前記第１検出電極のうち、隣り合う少なくとも２個の第１検出電極を導体線として構成されたことを特徴とする請求項２に記載の入力装置。
【００３５】
ｙ）  前記入力手段は、
前記所定領域に配置された第１導電体層、前記第１導電体層の周囲の４辺に配置された４個の第１検出電極を備えた第１基板と、
前記所定領域に配置された第２導電体層、及び、前記第２導電体層に接続した少なくとも一組の第２検出電極を備えた第２基板と、を備え、
前記アンテナ素子は、前記少なくとも一組の第２検出電極により構成されたことを特徴とするｂに記載の入力装置。
【００３６】
ｚ）  前記アンテナ素子は、前記第２基板上において、第２導電体層を囲んで配置されたループアンテナであることを特徴とするｗに記載の入力装置。
【００３７】
ａａ）  前記第２導電体層の抵抗値は、前記第１導電体層より低いことを特徴とするｚに記載の入力装置。
【発明の効果】
【００３８】
この発明によれば、低価格化、小型化、送受信特性の高効率化を実現可能なアンテナを備えた入力装置及びこの入力装置を搭載した表示装置を提供することができる。
【発明を実施するための最良の形態】
【００３９】
以下、この発明の一実施の形態に係る入力装置及びこの入力装置を搭載した表示装置について図面を参照して説明する。
【００４０】
図１に示すように、入力装置１は、入力手段として機能するタッチパネル１００と、通信手段として機能する無線通信部２００と、を備えて構成されている。これらのタッチパネル１００及び無線通信部２００は、外部機器３００とともに主制御部４００に接続されている。主制御部４００は、例えば入力装置１に備えられても良いし、入力装置１を搭載した表示装置、例えば液晶表示装置の主制御部であっても良い。
【００４１】
タッチパネル１００は、所定領域１０１内における接触を検知して入力信号を生成するものである。このタッチパネル１００は、所定領域１０１に配置された導電体層１０３と、この導電体層１０３を囲むように４辺にそれぞれ配置された検出電極１０５Ａ及び１０５Ｂ、１０７Ａ及び１０７Ｂと、これらの検出電極を介して検知した検知信号に基づいて入力信号を生成する入力回路１０９と、を備えている。
【００４２】
導電体層１０３は、例えばＩＴＯ（インジウム・ティン・オキサイド）などの透光性導電性部材によって形成されている。検出電極は、Ｘ電極１０５Ａ及び１０５Ｂ、及び、Ｙ電極１０７Ａ及び１０７Ｂからなる。Ｘ電極１０５Ａ及び１０５Ｂは、導電体層１０３の対向する２辺すなわち水平方向Ｘに延出された２辺に配置された一組の第１検出電極として機能する。Ｙ電極１０７Ａ及び１０７Ｂは、導電体層１０３の対向する２辺であってＸ電極１０５Ａ及び１０５Ｂに対して直交する２辺すなわち垂直方向Ｙに延出された２辺に配置された一組の第２検出電極として機能する。
【００４３】
次に、タッチパネル１００の構造についてより詳細に説明する。このタッチパネル１００は、表示装置の全面に搭載して、ユーザの指やペンによりタッチパネル表面を押した（または接触した）場所を検知するものである。キーボード入力を省略した携帯情報端末で最も多く用いられる入力手段である。また、このようなタッチパネル１００をノート型パーソナルコンピュータなどの機器に搭載することにより、キーボード入力とタッチパネル入力とを共用することが可能となり、機能性を向上することができる。
【００４４】
例えば、抵抗方式のタッチパネル１００は、図２に示すように、第１基板１１１と、第２基板１２１と、これら第１基板１１１と第２基板１２１とを所定の間隔で保持する保持手段として機能するスペーサ１３１とを備えている。
【００４５】
第１基板１１１は、ガラスなどの透明な絶縁性基板１１３を有している。この基板１１３は、その表面すなわち第２基板１２１との対向面上に所定領域１０１を規定するように配置された導電体層１０３Ａを備えている。この導電体層１０３Ａの対向する２辺には、Ｘ電極１０５Ａ及び１０５Ｂが配置されている。
【００４６】
第２基板１２１は、プラスチックなどの透明な絶縁性基板１２３を有している。この基板１２３は、その表面すなわち第１基板１１１との対向面上に所定領域１０１を規定するように配置された導電体層１０３Ｂを備えている。この導電体層１０３Ｂの対向する２辺には、Ｙ電極１０７Ａ及び１０７Ｂが配置されている。
【００４７】
このような構造のタッチパネル１００において、図３に示すように、例えばペン１４１で第２基板１２１上を押下したのに基づいて、第２基板１２１が凹む。これにより、第２基板１２１に配置された導電体層１０３Ｂは、第１基板１１１に配置された導電体層１０３Ａに接触し、電気的にショートする。
【００４８】
この場合、図４に示すように、第２基板１２１のＹ電極１０７Ａ及び１０７Ｂに直流電圧Ｅを印加し、第１基板１１１上の導電体層１０３Ａにてショートが発生した位置すなわちペン１４１で押下した位置の電位Ｖｐの検出を行う。これにより、Ｘ方向での位置を求めることができる。
【００４９】
同様に、第１基板１１１のＸ電極１０５Ａ及び１０５Ｂに直流電圧Ｅを印加し、第２基板１２１上の導電体層１０３Ｂにてショートが発生した位置すなわちペン１４１で押下した位置の電位Ｖｐの検出を行う。これにより、Ｙ方向での位置を求めることができる。
【００５０】
次に、無線通信部２００について説明する。
【００５１】
図１に示したように、無線通信部２００は、タッチパネル１００によって生成された入力信号及び外部機器３００から入力された入力信号に対応した電波を送信するとともに、外部からの外部信号に対応した電波を受信する。すなわち、この無線通信部２００は、送受信素子すなわちアンテナ部２０１を有している。このアンテナ部２０１は、単数または複数のアンテナ素子によって構成されている。例えば、アンテナ部２０１は、少なくとも２つの放射素子（アンテナ素子）２１１及び２１２によって構成されたフェイズドアレイアンテナ（ｐｈａｓｅｄ−ａｒｒａｙ  ａｎｔｅｎｎａ）を備えている。ここで、放射素子２１１及び２１２は、例えばダイポールアンテナである。
【００５２】
また、この無線通信部２００は、各放射素子２１１及び２１２に対して所定の信号を送受信する信号処理回路２０３を備えている。すなわち、各放射素子２１１及び２１２は、それぞれ給電線２１３及び２１４を介して信号処理回路２０３に接続されている。
【００５３】
この信号処理回路２０３は、放射素子２１１及び２１２のそれぞれに供給される同一周波数のアンテナ信号の位相を調整する位相調整手段として機能する。また、この信号処理回路２０３は、放射素子２１１及び２１２のそれぞれに供給される同一周波数のアンテナ信号の振幅を調整する振幅調整手段として機能する。
【００５４】
また、この信号処理回路２０３は、信号処理手段として機能する。すなわち、信号処理回路２０３は、タッチパネル１００によって生成された入力信号及び外部機器３００から入力された入力信号をアンテナ部２０１から送信可能な送信電波に変調する。また、この信号処理回路２０３は、アンテナ部２０１を介して受信した受信電波を復調する。なお、ここでは、信号処理回路２０３は、送信及び受信の両方を可能とする回路として説明したが、一方の機能のみを有した回路で構成してもよい。
【００５５】
以下に、アンテナ部２０１について、特にフェイズドアレイアンテナについてより詳細に説明する。
【００５６】
すなわち、図５に示すように、フェイズドアレイアンテナ２２０は、例えば並行に配置された少なくとも２つのダイポールアンテナ２１１及び２１２によって構成される。ダイポールアンテナ２１１及び２１２の各アンテナ長は、例えば送信電波波長をλとした場合、λ／２である。
【００５７】
ダイポールアンテナ２１１は、電気的な中心点で２つの導体線２１１Ａ及び２１１Ｂに分割されて、給電端子２１３Ａ及び２１３Ｂを介して給電線２１３に接続されている。ダイポールアンテナ２１２も同様に、電気的な中心点で２つの導体線２１２Ａ及び２１２Ｂに分割されて、給電端子２１４Ａ及び２１４Ｂを介して給電線２１４に接続されている。
【００５８】
各ダイポールアンテナ２１１及び２１２の電気的に分離された導体線間には、各給電線２１３及び２１４を介して信号処理回路２０３から同一周波数を有するアンテナ信号が供給される。それぞれのダイポールアンテナ２１１及び２１２に供給されるアンテナ信号の時間位相を変化することにより、電波エネルギの放射指向性を変化させることができる。
【００５９】
すなわち、図６に示すように、フェイズドアレイアンテナ２２０は、８の字の中心にフェイズドアレイアンテナ２２０があるような放射指向性２２１及び２２２を有する。この放射指向性２２１及び２２２は、破線で示す方向の電波エネルギが最も大きく、これより離れるほどに電波エネルギが小さくなる。このような放射指向性２２１及び２２２は、各ダイポールアンテナ２１１及び２１２に供給されるアンテナ信号の位相を変化させることにより、ダイポールアンテナ２１１及び２１２に対して直交する平面内において３６０°すべての任意の方向に向けることが可能となる。
【００６０】
送信時においては、信号処理回路２０３は、送信回路として機能し、所定の送信周波数を有した送信信号をアンテナ信号として各ダイポールアンテナ２１１及び２１２に供給する。フェイズドアレイアンテナ２２０は、供給されたアンテナ信号に基づいて送信電波エネルギを送信する。このとき、各ダイポールアンテナ２１１及び２１２に供給されるアンテナ信号の位相を調整することにより、送信電波エネルギの放射指向性２２１及び２２２を、送受信を行う相手の最寄りの局に向けることができ、少ない発信エネルギで送信が可能となる。
【００６１】
受信時においては、信号処理回路２０３は、受信回路として機能し、所定の受信周波数を有した受信信号をアンテナ信号として各ダイポールアンテナ２１１及び２１２に供給する。フェイズドアレイアンテナ２２０は、供給されたアンテナ信号に基づいて受信電波エネルギを送信する。このとき、各ダイポールアンテナ２１１及び２１２に供給されるアンテナ信号の位相を調整することにより、受信電波エネルギの放射指向性２２１及び２２２を、送受信を行う相手の最寄りの局に向けることができ、また、受信感度を向上することができ、少ない発信エネルギで受信が可能となる。
【００６２】
このような送受信を可能としたフェイズドアレイアンテナ２２０によれば、このアンテナ部を搭載した機器の感度、及び、消費電力を低減することが可能となるとともに、周辺回路や機器本体への電磁界ノイズの影響を低減することが可能となる。
【００６３】
次に、上述したタッチパネル１００と無線通信部２００とを備えた入力装置１の具体例について説明する。
【００６４】
（第１実施形態）
この第１実施形態では、入力装置１を正面から見た場合のフェイズドアレイアンテナ２２０を構成する各ダイポールアンテナ２１１及び２１２の平面的な配置パターン例について説明する。なお、ここで説明する第１実施形態は、各ダイポールアンテナがすべて同一基板に配置されてもよく、少なくとも１つのダイポールアンテナが他方の基板に配置されても良い。また、すべてのダイポールアンテナを同一基板に配置することが可能であれば、超音波方式のタッチパネルにも適用することが可能である。
【００６５】
（実施例１）
すなわち、無線通信部２００のアンテナ部２０１は、タッチパネル１００を構成する基板１１１（または１２１）の所定領域１０１の外縁部に配置されている。この実施例では、図７の（ａ）乃至（ｃ）に示すように、アンテナ部２０１を構成する第１放射素子としてのダイポールアンテナ２１１及び第２放射素子としてのダイポールアンテナ２１２は、外縁部の対向する２辺上にそれぞれ配置されている。
【００６６】
図７の（ａ）に示した例では、ダイポールアンテナ２１１は、外縁部の垂直方向に延びた一辺１０１Ａに配置されている。また、ダイポールアンテナ２１２は、外縁部の垂直方向に延びて一辺１０１Ａに対向する他の一辺１０１Ｂに配置されている。これらのダイポールアンテナ２１１及び２１２は、互いに平行に延びた２辺上において、平行に延出されている。これにより、これらのダイポールアンテナ２１１及び２１２は、フェイズドアレイアンテナ２２０を構成する。
【００６７】
このような構成によれば、フェイズドアレイアンテナ２２０は、アンテナの延出方向に直交する水平面内において、任意の方向を走査することが可能となる。
【００６８】
図７の（ｂ）に示した例では、ダイポールアンテナ２１１は、外縁部の水平方向に延びた一辺１０１Ｃに配置されている。また、ダイポールアンテナ２１２は、外縁部の水平方向に延びて一辺１０１Ｃに対向する他の一辺１０１Ｄに配置されている。これらのダイポールアンテナ２１１及び２１２は、互いに平行に延びた２辺上において、平行に延出されている。これにより、これらのダイポールアンテナ２１１及び２１２は、フェイズドアレイアンテナ２２０を構成する。
【００６９】
このような構成によれば、フェイズドアレイアンテナ２２０は、アンテナの延出方向に直交する垂直面内において、任意の方向を走査することが可能となる。
【００７０】
図７の（ｃ）に示した例では、ダイポールアンテナ２１１−１は、外縁部の垂直方向に延びた一辺１０１Ａに配置されている。また、ダイポールアンテナ２１２−１は、外縁部の垂直方向に延びて一辺１０１Ａに対向する他の一辺１０１Ｂに配置されている。これらのダイポールアンテナ２１１及び２１２は、互いに平行に延びた２辺上において、平行に延出されている。これにより、これら一組のダイポールアンテナ２１１−１及び２１２−１は、アンテナの延出方向に直交する水平面内において、任意の方向を走査することが可能なフェイズドアレイアンテナ２２０を構成する。
【００７１】
また、ダイポールアンテナ２１１−２は、外縁部の水平方向に延びた一辺１０１Ｃに配置されている。また、ダイポールアンテナ２１２−２は、外縁部の水平方向に延びて一辺１０１Ｃに対向する他の一辺１０１Ｄに配置されている。これらのダイポールアンテナ２１１−２及び２１２−２は、互いに平行に延びた２辺上において、平行に延出されている。これにより、これら一組のダイポールアンテナ２１１−２及び２１２−２は、アンテナの延出方向に直交する垂直面内において、任意の方向を走査することが可能なフェイズドアレイアンテナ２２０を構成する。
【００７２】
これのような２組のフェイズドアレイアンテナ２２０により、水平面内及び垂直面内において、広範囲を走査することが可能となり、少ないエネルギでより送受信感度の高い方向を選択可能となる。
【００７３】
（実施例２）
すなわち、無線通信部２００のアンテナ部２０１は、タッチパネル１００を構成する基板１１１（または１２１）の所定領域１０１の外縁部に配置されている。この実施例では、図８の（ａ）乃至（ｃ）に示すように、アンテナ部２０１を構成する第１放射素子としてのダイポールアンテナ２１１及び第２放射素子としてのダイポールアンテナ２１２は、外縁部の同一の１辺上にそれぞれ配置されている。
【００７４】
図８の（ａ）に示した例では、ダイポールアンテナ２１１及び２１２は、外縁部の垂直方向に延びた一辺１０１Ａに配置されている。これらのダイポールアンテナ２１１及び２１２は、互いに平行に延出されている。これにより、これらのダイポールアンテナ２１１及び２１２は、フェイズドアレイアンテナ２２０を構成する。
【００７５】
このような構成によれば、フェイズドアレイアンテナ２２０は、アンテナの延出方向に直交する水平面内において、任意の方向を走査することが可能となる。
【００７６】
図８の（ｂ）に示した例では、ダイポールアンテナ２１１及び２１２は、外縁部の水平方向に延びた一辺１０１Ｃに配置されている。これらのダイポールアンテナ２１１及び２１２は、互いに平行に延出されている。これにより、これらのダイポールアンテナ２１１及び２１２は、フェイズドアレイアンテナ２２０を構成する。
【００７７】
このような構成によれば、フェイズドアレイアンテナ２２０は、アンテナの延出方向に直交する垂直面内において、任意の方向を走査することが可能となる。
【００７８】
また、図８の（ａ）及び（ｂ）に示した例では、フェイズドアレイアンテナ２２０を構成する２つのダイポールアンテナ２１１及び２１２同一の一辺上に配置されているため、他の３辺を狭額縁化することが可能となる。また、各ダイポールアンテナ２１１及び２１２からの給電線の取出端子を一辺に集約することができ、配線を引き回す必要がなくなるため、ノイズの影響を抑制することが可能となる。
【００７９】
図８の（ｃ）に示した例では、ダイポールアンテナ２１１−１及び２１２−１は、外縁部の垂直方向に延びた一辺１０１Ａに配置されている。これらのダイポールアンテナ２１１及び２１２は、互いに平行に延出されている。これにより、これら一組のダイポールアンテナ２１１−１及び２１２−１は、アンテナの延出方向に直交する水平面内において、任意の方向を走査することが可能なフェイズドアレイアンテナ２２０を構成する。
【００８０】
また、ダイポールアンテナ２１１−２及び２１２−２は、外縁部の水平方向に延びた一辺１０１Ｃに配置されている。これらのダイポールアンテナ２１１−２及び２１２−２は、互いに平行に延出されている。これにより、これら一組のダイポールアンテナ２１１−２及び２１２−２は、アンテナの延出方向に直交する垂直面内において、任意の方向を走査することが可能なフェイズドアレイアンテナ２２０を構成する。
【００８１】
これのような２組のフェイズドアレイアンテナ２２０により、水平面内及び垂直面内において、広範囲を走査することが可能となり、少ないエネルギでより送受信感度の高い方向を選択可能となる。
【００８２】
また、図８の（ｃ）に示した例では、フェイズドアレイアンテナ２２０を構成する２組のダイポールアンテナ２１１及び２１２がそれぞれ同一の一辺上に配置されているため、他の２辺を狭額縁化することが可能となる。また、各ダイポールアンテナ２１１及び２１２からの給電線の取出端子を２辺に集約することができ、配線を引き回す必要がなくなるため、ノイズの影響を抑制することが可能となる。
【００８３】
（実施例３）
すなわち、無線通信部２００のアンテナ部２０１は、タッチパネル１００を構成する基板１１１（または１２１）の所定領域１０１の外縁部に配置されている。この実施例では、図９の（ａ）乃至（ｃ）に示すように、アンテナ部２０１を構成する第１放射素子としてのダイポールアンテナ２１１及び第２放射素子としてのダイポールアンテナ２１２は、外縁部の同一の１辺上にそれぞれ配置されている。
【００８４】
図９の（ａ）に示した例では、ダイポールアンテナ２１１及び２１２は、外縁部の垂直方向に延びた一辺１０１Ａに配置されている。これらのダイポールアンテナ２１１及び２１２は、一直線状に延出されている。これにより、これらのダイポールアンテナ２１１及び２１２は、フェイズドアレイアンテナ２２０を構成する。
【００８５】
このような構成によれば、フェイズドアレイアンテナ２２０は、アンテナの延出方向に直交する水平面内において、任意の方向を走査することが可能となる。
【００８６】
図９の（ｂ）に示した例では、ダイポールアンテナ２１１及び２１２は、外縁部の水平方向に延びた一辺１０１Ｃに配置されている。これらのダイポールアンテナ２１１及び２１２は、一直線状に延出されている。これにより、これらのダイポールアンテナ２１１及び２１２は、フェイズドアレイアンテナ２２０を構成する。
【００８７】
このような構成によれば、フェイズドアレイアンテナ２２０は、アンテナの延出方向に直交する垂直面内において、任意の方向を走査することが可能となる。
【００８８】
また、図９の（ａ）及び（ｂ）に示した例では、フェイズドアレイアンテナ２２０を構成する２つのダイポールアンテナ２１１及び２１２が同一の一辺上にしかも一直線状に配置されているため、他の３辺を狭額縁化することが可能となるとともに、ダイポールアンテナ２１１及び２１２を配置した辺の幅も狭くすることが可能となる。また、各ダイポールアンテナ２１１及び２１２からの給電線の取出端子を一辺に集約することができ、配線を引き回す必要がなくなるため、ノイズの影響を抑制することが可能となる。
【００８９】
図９の（ｃ）に示した例では、ダイポールアンテナ２１１−１及び２１２−１は、外縁部の垂直方向に延びた一辺１０１Ａに配置されている。これらのダイポールアンテナ２１１及び２１２は、一直線状に延出されている。これにより、これら一組のダイポールアンテナ２１１−１及び２１２−１は、アンテナの延出方向に直交する水平面内において、任意の方向を走査することが可能なフェイズドアレイアンテナ２２０を構成する。
【００９０】
また、ダイポールアンテナ２１１−２及び２１２−２は、外縁部の水平方向に延びた一辺１０１Ｃに配置されている。これらのダイポールアンテナ２１１−２及び２１２−２は、一直線状に延出されている。これにより、これら一組のダイポールアンテナ２１１−２及び２１２−２は、アンテナの延出方向に直交する垂直面内において、任意の方向を走査することが可能なフェイズドアレイアンテナ２２０を構成する。
【００９１】
これのような２組のフェイズドアレイアンテナ２２０により、水平面内及び垂直面内において、広範囲を走査することが可能となり、少ないエネルギでより送受信感度の高い方向を選択可能となる。
【００９２】
また、図９の（ｃ）に示した例では、フェイズドアレイアンテナ２２０を構成する２組のダイポールアンテナ２１１及び２１２がそれぞれ同一の一辺上にしかも一直線状に配置されているため、他の２辺を狭額縁化することが可能となるとともに、ダイポールアンテナ２１１及び２１２を配置した２辺の幅も狭くすることが可能となる。また、各ダイポールアンテナ２１１及び２１２からの給電線の取出端子を２辺に集約することができ、配線を引き回す必要がなくなるため、ノイズの影響を抑制することが可能となる。
【００９３】
（実施例４）
すなわち、無線通信部２００のアンテナ部２０１は、タッチパネル１００を構成する基板１１１（または１２１）の所定領域１０１の外縁部に配置されている。この実施例では、図１０の（ａ）乃至（ｃ）に示すように、アンテナ部２０１を構成する第１放射素子としてのダイポールアンテナ２１１及び第２放射素子としてのダイポールアンテナ２１２は、外縁部の直交する２辺上にそれぞれ配置されている。
【００９４】
図１０の（ａ）に示した例では、ダイポールアンテナ２１１は、外縁部の垂直方向に延びた一辺１０１Ａに配置されている。また、ダイポールアンテナ２１２は、外縁部の水平方向に延びた一辺１０１Ｃに配置されている。これらのダイポールアンテナ２１１及び２１２は、互いに直交する２辺上において、各辺に平行に延出されている。これにより、これらのダイポールアンテナ２１１及び２１２は、円偏向アンテナ（円偏波アンテナ）２３０を構成する。
【００９５】
このような構成によれば、円偏向アンテナ２３０は、衛星放送の受信に利用することが可能となり、機能性を向上することが可能となる。
【００９６】
図１０の（ｂ）に示した例では、ダイポールアンテナ２１１及び２１２は、外縁部の垂直方向に延びた一辺１０１Ａに配置されている。これらのダイポールアンテナ２１１及び２１２は、一直線状に延出されている。これにより、これらのダイポールアンテナ２１１及び２１２は、フェイズドアレイアンテナ２２０を構成する。
【００９７】
また、ダイポールアンテナ２３１は、外縁部の水平方向に延びた一辺１０１Ｃに配置されている。ダイポールアンテナ２１１及び２１２の少なくとも一方とダイポールアンテナ２３１とは、互いに直交する２辺上において、各辺に平行に延出されている。これにより、ダイポールアンテナ２１１及び２１２の少なくとも一方とダイポールアンテナ２３１とは、円偏向アンテナ２３０を構成する。
【００９８】
このような構成によれば、フェイズドアレイアンテナ２２０は、アンテナの延出方向に直交する垂直面内において、任意の方向を走査し、情報の送受信用に適用することが可能となる。また、円偏向アンテナ２３０は、衛星放送の受信に利用することが可能となる。したがって、機能性を向上することが可能となる。
【００９９】
図１０の（ｃ）に示した例では、ダイポールアンテナ２１１及び２１２は、外縁部の水平方向に延びた一辺１０１Ｃに配置されている。これらのダイポールアンテナ２１１及び２１２は、一直線状に延出されている。これにより、これらのダイポールアンテナ２１１及び２１２は、フェイズドアレイアンテナ２２０を構成する。
【０１００】
また、ダイポールアンテナ２３１は、外縁部の垂直方向に延びた一辺１０１Ａに配置されている。ダイポールアンテナ２１１及び２１２の少なくとも一方とダイポールアンテナ２３１とは、互いに直交する２辺上において、各辺に平行に延出されている。これにより、ダイポールアンテナ２１１及び２１２の少なくとも一方とダイポールアンテナ２３１とは、円偏向アンテナ２３０を構成する。
【０１０１】
このような構成によれば、フェイズドアレイアンテナ２２０は、アンテナの延出方向に直交する水平面内において、任意の方向を走査し、情報の送受信用に適用することが可能となる。また、円偏向アンテナ２３０は、衛星放送の受信に利用することが可能となる。したがって、機能性を向上することが可能となる。
【０１０２】
なお、このとき、信号処理回路２０３または主制御部４００は、フェイズドアレイアンテナ２２０（複数のアンテナ素子）を介して電波を送受信する第１動作モードと、円偏向アンテナ２３０（単個のアンテナ素子）を介して電波を受信する第２動作モードとを切り換える切換手段として機能する。
【０１０３】
（第２実施形態）
この第２実施形態では、入力装置１の断面において、フェイズドアレイアンテナ２２０を構成する各ダイポールアンテナ２１１及び２１２の配置パターン例について説明する。なお、この第２実施形態では、同一の辺上に２つのダイポールアンテナを平行に配置した場合を例に説明するが、それぞれを異なる辺に配置しても良いし、直交するように配置しても良いし、また、３つ以上のダイポールアンテナを配置しても良い。
【０１０４】
（実施例１）
すなわち、無線通信部２００のアンテナ部２０１は、タッチパネル１００を構成する第２基板１２１の所定領域１０１の外縁部に配置されている。この実施例では、図１１の（ａ）及び（ｂ）に示すように、アンテナ部２０１を構成する第１放射素子としてのダイポールアンテナ２１１及び第２放射素子としてのダイポールアンテナ２１２は、ともに第２基板１２１の同一面上、すなわち第１基板１１１と対向する主面上に配置されている。
【０１０５】
図１１の（ａ）に示した例では、ダイポールアンテナ２１１及び２１２（少なくとも２本の送受信部）は、第２基板１２１における外縁部の一辺（例えば１０１Ａ）上に配置されている。これらのダイポールアンテナ２１１及び２１２は、互いに平行に配置され、フェイズドアレイアンテナ２２０を構成する。
【０１０６】
また、この図１１の（ａ）に示した例では、フェイズドアレイアンテナ２２０の背面、すなわち主放射方向とは反対の対向面に電波を反射する反射板２４０が配置されている。主放射方向とは、第１基板１１１から第２基板１２１に向かう方向とする。ここでは、反射板２４０は、第１基板１１１の主面上すなわち第２基板１２１との対向面上に配置されている。
【０１０７】
図１１の（ｂ）に示した例では、ダイポールアンテナ２１１及び２１２は、第２基板１２１の主面上に配置され、フェイズドアレイアンテナ２２０を構成する。また、反射板２４０は、第１基板１１１の裏面上すなわち導電体層１０３Ａなどが形成されていない面上に配置されている。
【０１０８】
図１１の（ａ）及び（ｂ）に示したような構成により、主放射方向の電波エネルギを強めることができるとともに指向性を向上することが可能となる。
【０１０９】
（実施例２）
すなわち、無線通信部２００のアンテナ部２０１は、タッチパネル１００を構成する第２基板１２１の所定領域１０１の外縁部に配置されている。この実施例では、図１１の（ｃ）乃至（ｅ）に示すように、アンテナ部２０１を構成するダイポールアンテナ２１１及びダイポールアンテナ２１２は、ともに第２基板１２１の同一面上、すなわち導電体層１０３Ｂなどが形成されていない裏面上に配置されている。
【０１１０】
図１１の（ｃ）に示した例では、ダイポールアンテナ２１１及び２１２は、第２基板１２１における外縁部の一辺（例えば１０１Ａ）上に配置されている。これらのダイポールアンテナ２１１及び２１２は、互いに平行に配置され、フェイズドアレイアンテナ２２０を構成する。
【０１１１】
また、この図１１の（ｃ）に示した例では、フェイズドアレイアンテナ２２０の主放射方向とは反対の対向面に反射板２４０が配置されている。主放射方向とは、第１基板１１１から第２基板１２１に向かう方向とする。ここでは、反射板２４０は、第２基板１２１の主面上に配置されている。
【０１１２】
図１１の（ｄ）に示した例では、ダイポールアンテナ２１１及び２１２は、第２基板１２１の裏面上に配置され、フェイズドアレイアンテナ２２０を構成する。また、反射板２４０は、第１基板１１１の主面上に配置されている。
【０１１３】
図１１の（ｅ）に示した例では、ダイポールアンテナ２１１及び２１２は、第２基板１２１の裏面上に配置され、フェイズドアレイアンテナ２２０を構成する。また、反射板２４０は、第１基板１１１の裏面上に配置されている。
【０１１４】
図１１の（ｃ）乃至（ｅ）に示したような構成であっても、同様に、主放射方向の電波エネルギを強めることができるとともに指向性を向上することが可能となる。
【０１１５】
（実施例３）
すなわち、無線通信部２００のアンテナ部２０１は、タッチパネル１００を構成する第１基板１１１の所定領域１０１の外縁部に配置されている。この実施例では、図１１の（ｆ）に示すように、アンテナ部２０１を構成するダイポールアンテナ２１１及びダイポールアンテナ２１２は、ともに第１基板１１１の同一面上、すなわち第２基板１２１に対向する主面上に配置されている。
【０１１６】
図１１の（ｆ）に示した例では、ダイポールアンテナ２１１及び２１２は、第１基板１１１の主面上に配置され、フェイズドアレイアンテナ２２０を構成する。また、反射板２４０は、第１基板１１１の裏面上に配置されている。
【０１１７】
このような構成であっても、同様に、主放射方向の電波エネルギを強めることができるとともに指向性を向上することが可能となる。
【０１１８】
なお、図１１の（ａ）乃至（ｆ）に示したような構成では、電波エネルギを強める必要がない場合や、放射方向を広範囲に拡大したい場合には、特に反射板２４０を配置する必要はない。また、反射板を配置しない構成例としては、図１１の（ｇ）に示したものがある。すなわち、ダイポールアンテナ２１１及び２１２は、第１基板１１１の裏面上に配置され、フェイズドアレイアンテナ２２０を構成しても良い。
【０１１９】
（実施例４）
すなわち、無線通信部２００のアンテナ部２０１は、タッチパネル１００を構成する第２基板１２１の所定領域１０１の外縁部に配置されている。この実施例では、図１２の（ａ）及び（ｂ）に示すように、アンテナ部２０１を構成するダイポールアンテナ２１１及びダイポールアンテナ２１２は、それぞれ第２基板１２１の異なる面上に配置されている。
【０１２０】
図１２の（ａ）に示した例では、ダイポールアンテナ２１１は、第２基板１２１の主面上に配置されている。ダイポールアンテナ２１２は、第２基板の裏面上に配置されている。これらのダイポールアンテナ２１１及び２１２は、互いに平行に配置され、フェイズドアレイアンテナ２２０を構成する。また、反射板２４０は、第１基板１１１の主面上に配置されている。
【０１２１】
図１２の（ｂ）に示した例では、ダイポールアンテナ２１１は、第２基板１２１の主面上に配置され、ダイポールアンテナ２１２は、第２基板の裏面上に配置され、これらのダイポールアンテナ２１１及び２１２により、フェイズドアレイアンテナ２２０を構成する。また、反射板２４０は、第１基板１１１の裏面上に配置されている。
【０１２２】
図１２の（ａ）及び（ｂ）に示したような構成により、主放射方向の電波エネルギを強めることができるとともに指向性を向上することが可能となる。
【０１２３】
また、２つのダイポールアンテナを同一基板の異なる面上に配置したことにより、主放射方向が図中の破線に対して垂直な方向、すなわちタッチパネル１００を操作するユーザから離れる方向を向くようになる。この方向は、２つのダイポールアンテナが配置される基板の厚さや、２つのダイポールアンテナが配置される間隔を調整することにより、変更可能である。このため、ユーザが受ける電磁波の影響を低減できる。また、主放射方向にユーザやその他の機器などの障害物が無いため、送受信性能を向上することが可能となる。
【０１２４】
なお、図１２の（ａ）及び（ｂ）に示したような構成では、電波エネルギを強める必要がない場合や、放射方向を広範囲に拡大したい場合には、特に反射板２４０を配置する必要はない。また、反射板を配置しない構成例としては、図１２の（ｃ）に示したものがある。すなわち、ダイポールアンテナ２１１は、第１基板１１１の裏面上に配置され、ダイポールアンテナ２１２は、第１基板１１１の主面上に配置されて、フェイズドアレイアンテナ２２０を構成しても良い。
【０１２５】
（実施例５）
すなわち、無線通信部２００のアンテナ部２０１は、タッチパネル１００を構成する第１基板１１１及び第２基板１２１の所定領域１０１の外縁部に配置されている。この実施例では、図１２の（ｄ）及び（ｅ）に示すように、アンテナ部２０１を構成するダイポールアンテナ２１１及びダイポールアンテナ２１２は、それぞれ第１基板１１１及び第２基板１２１に配置されている。
【０１２６】
図１２の（ｄ）に示した例では、ダイポールアンテナ２１１は、第１基板１１１の主面上に配置されている。ダイポールアンテナ２１２は、第２基板の主面上に配置されている。これらのダイポールアンテナ２１１及び２１２は、互いに平行に配置され、フェイズドアレイアンテナ２２０を構成する。また、反射板２４０は、第１基板１１１の裏面上に配置されている。
【０１２７】
図１２の（ｅ）に示した例では、ダイポールアンテナ２１１は、第１基板１１１の主面上に配置され、ダイポールアンテナ２１２は、第２基板の裏面上に配置され、これらのダイポールアンテナ２１１及び２１２により、フェイズドアレイアンテナ２２０を構成する。また、反射板２４０は、第１基板１１１の裏面上に配置されている。
【０１２８】
図１２の（ｄ）及び（ｅ）に示したような構成により、主放射方向の電波エネルギを強めることができるとともに指向性を向上することが可能となる。
【０１２９】
また、２つのダイポールアンテナを異なる基板の面上にそれぞれ配置したことにより、主放射方向が図中の破線に対して垂直な方向となる。このため、ユーザが受ける電磁波の影響を低減できる。また、主放射方向にユーザやその他の機器などの障害物が無いため、送受信性能を向上することが可能となる。
【０１３０】
なお、図１２の（ｄ）及び（ｅ）に示したような構成では、電波エネルギを強める必要がない場合や、放射方向を広範囲に拡大したい場合には、特に反射板２４０を配置する必要はない。また、反射板を配置しない構成例としては、図１２の（ｆ）及び（ｇ）に示したものがある。
【０１３１】
すなわち、図１２の（ｆ）に示した例では、ダイポールアンテナ２１１は、第１基板１１１の裏面上に配置され、ダイポールアンテナ２１２は、第２基板１２１の主面上に配置されて、フェイズドアレイアンテナ２２０を構成しても良い。また、図１２の（ｇ）に示した例では、ダイポールアンテナ２１１は、第１基板１１１の裏面上に配置され、ダイポールアンテナ２１２は、第２基板１２１の裏面上に配置されて、フェイズドアレイアンテナ２２０を構成しても良い。
【０１３２】
（第３実施形態）
この第３実施形態では、入力装置１に備えられた無線通信部２００のアンテナ部に搭載可能な他のアンテナ例について説明する。
【０１３３】
（実施例１）
実施例１では、入力装置１に備えられた無線通信部２００のアンテナ部２０１に八木・宇田アンテナを搭載した例について説明する。
【０１３４】
すなわち、無線通信部２００のアンテナ部２０１は、タッチパネル１００を構成する基板１１１（または１２１）の所定領域１０１の外縁部に配置されている。この実施例では、図１３の（ａ）に示すように、アンテナ部２０１を構成する放射素子としてのダイポールアンテナ（少なくとも１つの送受信部）２５１及び無給電素子２５２は、外縁部の同一の１辺上にそれぞれ配置されている。
【０１３５】
図１３の（ａ）に示した例では、ダイポールアンテナ２５１は、外縁部の垂直方向に延びた一辺１０１Ａに配置されている。また、無給電素子２５２は、ダイポールアンテナ２５１に対して対向するように同一の一辺１０１Ａに配置されている。これらのダイポールアンテナ２５１及び無給電素子２５２は、互いに平行に延出されている。これにより、これらのダイポールアンテナ２５１及び無給電素子２５２は、八木・宇田アンテナ２５０を構成する。
【０１３６】
このような構成によれば、八木・宇田アンテナ２５０は、アンテナの延出方向に直交する水平面内において、任意の方向を走査することが可能となるとともに、指向性を向上することが可能となる。
【０１３７】
図１３の（ｂ）に示した例では、外縁部の垂直方向に延びた一辺１０１Ａに、２つの八木・宇田アンテナ２５０Ａ及び２５０Ｂが配置されている。すなわち、第１八木・宇田アンテナ２５０Ａは、ダイポールアンテナ２５１Ａ及び無給電素子２５２Ａによって構成され、第２八木・宇田アンテナ２５０Ｂは、ダイポールアンテナ２５１Ｂ及び無給電素子２５２Ｂによって構成される。
【０１３８】
このような構成によれば、八木・宇田アンテナの送受信性能をさらに向上することが可能となるとともに、各八木・宇田アンテナを構成するダイポールアンテナによってフェイズドアレイアンテナ２２０を構成することができ、送受信機能を向上することが可能となる。
【０１３９】
なお、図１３の（ａ）及び（ｂ）に示した例では、各放射素子及び無給電素子を同一基板に配置しても良いし、少なくとも１つの素子を異なる基板に配置しても良い。また、各放射素子及び無給電素子を同一基板に配置する場合であっても、同一面に配置しても良いし、少なくとも１つの素子を異なる面に配置しても良い。さらに、図１３の（ｂ）に示した例のように、２つの八木・宇田アンテナを配置する構成例では、それぞれを異なる辺上に配置しても良い。
【０１４０】
（実施例２）
実施例２では、入力装置１に備えられた無線通信部２００のアンテナ部を構成する放射素子、例えばダイポールアンテナ２１１及び２１２がタッチパネル１００の検出電極を兼ねる例について説明する。
【０１４１】
すなわち、無線通信部２００のアンテナ部２０１は、タッチパネル１００を構成する基板１１１（または１２１）の所定領域１０１の外縁部に配置されている。この実施例では、図１４に示すように、アンテナ部２０１を構成する第１放射素子としてのダイポールアンテナ２１１及び第２放射素子としてのダイポールアンテナ２１２は、外縁部の同一の１辺上にそれぞれ配置されている。
【０１４２】
図１４に示した例では、ダイポールアンテナ２１１及びダイポールアンテナ２１２は、第１基板１１１の主面上に一直線状に配置されている。これにより、これらのダイポールアンテナ２１１及び２１２は、フェイズドアレイアンテナ２２０を構成する。また、ダイポールアンテナ２１１及び２１２は、第１基板１１１上の導電体層１０３Ａの一辺に沿って配置された第１検出電極すなわちＸ電極１０５Ａを構成する。
【０１４３】
このように、タッチパネルの検出電極をフェイズド・アレイ・アンテナを構成するダイポールアンテナで構成したことにより、検出電極用の取出端子及び各ダイポールアンテナからの給電線２１３及び２１４の給電端子をそれぞれ別個に設ける必要がなくなり、外縁部全体を狭額縁化することが可能となる。
【０１４４】
（第４実施形態）
この第４実施形態では、入力装置１を搭載した表示装置の例について説明する。ここでは、上述した入力装置１を搭載した液晶表示装置の構成例について説明する。なお、液晶表示装置以外にも、有機エレクトロルミネッセンス表示装置、プラズマ表示装置、陰極線管装置などにも適用できることは言うまでもない。
【０１４５】
まず、液晶表示装置の構成について説明する。
【０１４６】
すなわち、この液晶表示装置１０００は、図１５に示すように、表示手段として機能する液晶表示パネル１１００と、この液晶表示パネル１１００に駆動信号を供給する駆動回路基板１５００と、液晶表示パネル１１００の裏面側に配置される面光源部１８００と、面光源部１８００との間で液晶表示パネル１１００を保持するベゼル１９００とを備えている。また、この液晶表示装置１０００は、入力手段として機能する入力装置１を備えている。液晶表示パネル１１００と駆動回路基板１５００とは、フレキシブル配線基板１９５０を介して電気的に接続される。
【０１４７】
面光源部１８００の管状光源１８１１は、液晶表示パネル１１００の一端面に沿って配置されている。駆動回路基板１５００は、管状光源１８１１に対向する液晶表示パネル１１００の端面に沿って配置されている。
【０１４８】
液晶表示パネル１１００の裏面側には、フレーム１８３１に保持された面光源部１８００の導光板１８２１が配置されている。この導光板１８２１は、肉厚部１８２１Ａと、肉薄部１８２１Ｂとを有するような楔型形状のアクリル樹脂で構成されている。管状光源１８１１は、導光板１８２１の肉厚部１８２１Ａの一端面に配置されている。
【０１４９】
液晶表示パネル１１００は、図１７に示すように、例えば対角１２．１インチサイズで（１０２４×３）×８００の表示画素を備えたＸＧＡ仕様の有効表示領域１１０２を含んでいる。液晶表示パネル１１００は、アレイ基板１２００と、対向基板１４００と、アレイ基板１２００と対向基板１４００との間にそれぞれ配向膜を介して保持される液晶層１４１０とを含んで構成されている。
【０１５０】
アレイ基板１２００は、より薄型化を達成するために、ガラスからなる０．５ｍｍ厚の透明絶縁基板１２０１上に、マトリクス状に配置される１０２４×３本の信号線及び８００本の走査線と、信号線と走査線との交点近傍に配置される薄膜トランジスタすなわちＴＦＴから構成されるスイッチ素子１２１１と、スイッチ素子１２１１に接続される画素電極１２１３とを備えている。
【０１５１】
このスイッチ素子１２１１は、チャネル領域１２１２ｃ、及びこのチャネル領域１２１２ｃを挟んで配置されるソース領域１２１２ｓ及びドレイン領域１２１２ｄを備えた多結晶シリコン膜すなわちｐ−Ｓｉ膜と、このｐ−Ｓｉ膜のチャネル領域１２１２ｃ上にゲート絶縁膜１２１４を介して配置されるとともに走査線に電気的に接続されるゲート電極１２１５と、ソース領域１２１２ｓ及びドレイン領域１２１２ｄにそれぞれ接続されたソース電極１２１６ｓ及びドレイン電極１２１６ｄを含む。
【０１５２】
このゲート電極１２１５は、走査線に接続され、ドレイン電極１２１６ｄは、信号線に接続され、さらにソース電極１２１６ｓは、画素電極１２１３に接続されている。
【０１５３】
この画素電極１２１３は、透明導電性部材、例えばＩＴＯによって形成され、ＴＦＴ１２１１上に順に積層された層間絶縁膜１２１７、パッシベーション膜１２１８、及びをカラーフィルタ層ＣＦ上に配置される。層間絶縁膜１２１７及びパッシベーション膜１２１８は、窒化シリコンによって形成されている。画素電極１２１３は、有効表示領域１１０２全面に配置される配向膜１２１９によって覆われている。
【０１５４】
対向基板１４００は、ガラスからなる０．５ｍｍ厚の透明絶縁基板１４０１上に、画素電極１２１３に対向した対向電極１４０３を備えて構成される。この対向電極１４０３は、透明導電性部材、例えばＩＴＯによって形成され、有効表示領域１１０２全面に配置される配向膜１４０５によって覆われている。
【０１５５】
アレイ基板１２００の外面及び対向基板１４００の外面には、それぞれ液晶層１４１０の特性に合わせて偏光方向を設定した一対の偏光板１２２０、１４０７が必要に応じて設けられる。
【０１５６】
有効表示領域１１０２内には、アレイ基板１２００と対向基板１４００との間に所定のギャップを形成するための樹脂性のスペーサ（図示しない）が配置されている。有効表示領域１１０２の周囲には、額縁状にブラックマトリクスＢＭが配置されている。アレイ基板１２００及び対向基板１４００は、スペーサによって所定のギャップを形成した状態で、シール剤１１０６によって貼り合せられている。
【０１５７】
有効表示領域１１０２の周辺領域には、一体的に構成される駆動回路部１１１０が配置されている。
【０１５８】
入力装置１は、図９の（ａ）に示した構成と、図１１の（ａ）に示した構成とを組み合わせた構造を有している。すなわち、図１６に示すように、ダイポールアンテナ２１１及び２１２は、第２基板１２１における主面上に配置されている。これらのダイポールアンテナ２１１及び２１２は、外縁部の一辺上に一直線状に延出されている。これにより、これらのダイポールアンテナ２１１及び２１２は、フェイズドアレイアンテナ２２０を構成する。
【０１５９】
また、反射板２４０は、第１基板１１１における主面上に配置されている。これにより、フェイズドアレイアンテナ２２０の主放射方向に向かう電波エネルギを強めることができるとともに指向性を向上することが可能となる。
【０１６０】
図１７に示したように、入力装置１は、その所定領域１０１が液晶表示パネル１１００の有効表示領域１１０２に対応するように配置されている。また、入力装置１のアンテナ部２０１は、所定領域１０１の外縁部であって、ベゼル１９００によって覆われない位置に配置されている。アンテナ部２０１をベゼル１９００によって覆う場合には、ベゼル１９００の一部にアンテナ部２０１を露出するような窓部を形成しておけば良い。
【０１６１】
上述したような液晶表示装置によれば、入力装置としてタッチパネルを備えるとともに、通信装置としてアンテナ部を備えて構成したことにより、機能性を向上することが可能となる。また、アンテナ部として、２つ以上のダイポールアンテナを組み合わせたフェイズドアレイアンテナや円偏向アンテナ、八木・宇田アンテナをタッチパネルに一体に搭載したため、機器本体からアンテナが突出することが無く、小型化を実現できるとともに、十分な送受信性能を確保することが可能となる。なお、入力装置１は、液晶表示パネル１１００に第１基板１１１を接するように設けても良いし、第２基板１２１を接するように設けても良い。
【０１６２】
（第５実施形態）
この第５実施形態では、入力装置１を正面から見た場合のダイポールアンテナ２１５の平面的な配置パターン例について説明する。すなわち、上述した第１乃至第４実施形態では、各放射素子を構成するダイポールアンテナは、ほぼ中央すなわち電気的な中心点に給電端子を備え、しかも、電気的な中心点で分割された２つの導体線を一直線状に配列して構成されている。しかしながら、ダイポールアンテナは、このような構造に限定されるものではない。
【０１６３】
例えば、図１８に示したようなアンテナ２１５は、タッチパネル１００を構成する基板１１１（または１２１）の所定領域１０１の外縁部に配置されている。また、このアンテナ２１５は、外縁部の直交する２辺上にまたがって配置されている。
【０１６４】
すなわち、アンテナ２１５は、入力装置１の角部（例えば、図７に示した外縁部の垂直方向に伸びた一辺１０１Ａと水平方向に伸びた一辺１０１Ｃとの交差部付近）に配置されている。このアンテナ２１５は、電気的な中心点で２つの導体線２１５Ａ及び２１５Ｂに分割されて、給電端子２１６Ａ及び２１６Ｂを介して給電線２１６に接続されている。導体線（第１導体線）２１５Ａは、一辺１０１Ｃに配置され、導体線２１５（第２導体線）Ｂは、一辺１０１Ａに配置されている。アンテナ２１５の電気的に分離された導体線間には、給電線２１６を介して信号処理回路２０３から同一周波数を有する信号が供給される。または、アンテナ２１５を介して外部信号を受信するようになっている。
【０１６５】
このようにして、導体線２１５Ａ及び２１５Ｂを互いに直交する方向に設けて構成したダイポールアンテナ２１５によれば、給電端子を２ヶ所に設ける必要がなく外縁部全体を狭額縁化することが可能となり、しかも、水平・垂直方向に効率的に送受信可能なアンテナ素子を簡単に形成することができる。このアンテナ２１５は、入力装置１の他の角部に設けても良い。
【０１６６】
（第６実施形態）
第６実施形態では、図１９に示すように、タッチパネル１００は、基板１１１上において、導電体層１０３Ａを囲む４辺にそれぞれ配置されたＸ電極（第１検出電極）１０５Ａ及び１０５ＢとＹ電極（第１検出電極）１０７Ｃ及び１０７Ｄを備え、また、第２基板１２１上において、導電体層１０３Ｂの対向する２辺に配置された第２検出電極１０７Ａ及び１０７Ｂを備えて構成されている。
【０１６７】
第２検出電極１０７Ａ及び１０７Ｂは、導電体層１０３Ｂによりタッチ部分の第１基板１１１上にある導電体層１０３Ａの電位を検知する検出電極として機能する。このような構成において、互いに直交する方向に配置された電極、例えばＸ電極１０５Ｂ及びＹ電極１０７Ｃをアンテナ素子の導体線として機能させても良い。この場合、２つの導体線すなわちＸ電極１０５ＢとＹ電極１０７Ｃとの間に信号処理回路２０３を接続することによって、図１８に示した第５実施形態と同じ効果を得ることができる。このような構成では、タッチパネル１００による接触（または押下）の検知動作を行っているときは、信号処理回路２０３を電気的に切り離しておく必要がある。
【０１６８】
また、第１基板１１１の角部で導体線と信号処理回路とを接続するので、アンテナ素子を構成する導体線として、前述の電極１０５Ｂ及び１０７Ｃの組み合わせの他に、電極１０５Ａ及び１０７Ｃの組み合せ、電極１０７Ｄ及び１０５Ａの組み合わせ、あるいは、電極１０７Ｄ及び１０５Ｂの組み合せで構成しても良い。これにおいて、第２検出電極１０７Ａ及び１０７Ｂをもってアンテナ素子としてもよい。また、第１検出電極でアンテナ素子を構成させた場合には、第２検出電極１０７Ａ及び１０７Ｂは２電極でなく１電極にして、前述の電位検出電極としての機能のみのものとしてもよい。
【０１６９】
このような第６実施形態によれば、上述した各実施形態の効果に加えて、タッチパネルの検出電極用の取出端子を前述の角部に設けることによって、アンテナ素子と信号処理回路との接続のための配線の引き回しが特別に必要としない利点がある。
【０１７０】
（第７実施形態）
図１９を参照して説明した第６実施形態では、第２基板１２１上に分離した２つの電極１０７Ａ及び１０７Ｂを設けていたが、電極１０７Ａ及び１０７Ｂは、導電体層１０３Ｂの電位を検知する役割であるので、導電体層１０３Ｂを囲んで配置しても良い。
【０１７１】
すなわち、図２０に示すように、第２基板１２１は、導電体層１０３Ｂを囲んで配置された検出電極として機能する電極１０７Ｅを備えている。この電極１０７Ｅは、閉路として構成せずに、第２基板１２１端で切り離されたループアンテナとして構成され、これらの端部を給電端子として信号処理回路２０３に接続される。このような構造の場合、電極１０７Ｅは、導電体層１０３Ｂと電気的に接続されているため、例えば電極１０７Ｅ上に金属による電波シールド板があっても送受信効率を向上することができる。
【０１７２】
また、この第７実施形態において、第２基板１２１上に配置された導電体層１０３Ｂの抵抗値を第１基板１１１に配置された導電体層１０３Ａより低くすることができる。導電体層１０３Ｂは、タッチ場所の導電体層１０３Ａの電位を検知する役割であるので、抵抗を低くすることはタッチパネル機能を損なうものではない。一方、導電体層１０３Ｂの抵抗値が低くなることで、電極１０７Ｅと導電体層１０３Ｂとの電気的接続が強まり、送受信効率を更に向上することができる。
【０１７３】
なお、この発明は、上記各実施形態に限定されるものではなく、その実施の段階ではその要旨を逸脱しない範囲で種々な変形・変更が可能である。また、各実施形態は、可能な限り適宜組み合わせて実施されてもよく、その場合組み合わせによる効果が得られる。
【０１７４】
また、この発明は、抵抗方式タッチパネルを用いた場合について説明したが、表示パネルの前面に基板周辺の所定領域に電極を設けることが出来る入力装置ならば適用できる。
【図面の簡単な説明】
【０１７５】
【図１】図１は、この発明の一実施の形態に係る入力装置の構成を概略的に示すブロック図である。
【図２】図２は、図１に示した入力装置に適用されるタッチパネルの構造を概略的に示す斜視図である。
【図３】図３は、図２に示したタッチパネルにおける接触動作を説明するための図である。
【図４】図４は、図３に示したタッチパネルの接触動作における等価回路図である。
【図５】図５は、図１に示した入力装置に適用されるフェイズドアレイアンテナの構成を概略的に示す図である。
【図６】図６は、図５に示したフェイズドアレイアンテナの動作を説明するための図である。
【図７】図７の（ａ）乃至（ｃ）は、第１実施形態の実施例１を説明するための図である。
【図８】図８の（ａ）乃至（ｃ）は、第１実施形態の実施例２を説明するための図である。
【図９】図９の（ａ）乃至（ｃ）は、第１実施形態の実施例３を説明するための図である。
【図１０】図１０の（ａ）乃至（ｃ）は、第１実施形態の実施例４を説明するための図である。
【図１１】図１１の（ａ）乃至（ｇ）は、第２実施形態を説明するための図である。
【図１２】図１２の（ａ）乃至（ｇ）は、第２実施形態を説明するための図である。
【図１３】図１３の（ａ）及び（ｂ）は、第３実施形態の実施例１を説明するための図である。
【図１４】図１４は、第３実施形態の実施例２を説明するための図である。
【図１５】図１５は、第４実施形態に係る液晶表示装置の構造を概略的に示す断面図である。
【図１６】図１６は、図１５に示した液晶表示装置に適用される入力装置の構成を概略的に示す図である。
【図１７】図１７は、図１５に示した液晶表示装置を構成する液晶表示パネル及び入力装置の構成を概略的に示す図である。
【図１８】図１８は、第５実施形態を説明するための図である。
【図１９】図１９は、第６実施形態を説明するための図である。
【図２０】図２０は、第７実施形態を説明するための図である。
【符号の説明】
【０１７６】
１…入力装置
１００…タッチパネル
２００…無線通信部
２０１…アンテナ部
２１１、２１２…ダイポールアンテナ
２２０…フェイズドアレイアンテナ
１０００…液晶表示装置
１１００…液晶表示パネル
【図１】
2006197645.tif 000003
【図２】
2006197645.tif 000004
【図３】
2006197645.tif 000005
【図４】
2006197645.tif 000006
【図５】
2006197645.tif 000007
【図６】
2006197645.tif 000008
【図７】
2006197645.tif 000009
【図８】
2006197645.tif 000010
【図９】
2006197645.tif 000011
【図１０】
2006197645.tif 000012
【図１１】
2006197645.tif 000013
【図１２】
2006197645.tif 000014
【図１３】
2006197645.tif 000015
【図１４】
2006197645.tif 000016
【図１５】
2006197645.tif 000017
【図１６】
2006197645.tif 000018
【図１７】
2006197645.tif 000019
【図１８】
2006197645.tif 000020
【図１９】
2006197645.tif 000021
【図２０】
2006197645.tif 000022